(57)【要約】【課題】視認性を良好に保ちつつ、立体感がある車両用表示装置を提供する。【解決手段】車両用表示装置１００は、車両の状態を表示するものであって、背面側から入射する光を視認側へ透過可能に形成され、表示面１０ａにて画像を表示する液晶パネル１０を備える。車両用表示装置は、液晶パネル１０よりも背面側に配置され、視認側へ向けて光を発する発光素子５２と、発光素子５２と液晶パネル１０との間の光路上に配置され、発光素子５２からの光を液晶パネル１０側に屈折させて透過させる光透過部６０と、を備える。【選択図】図２
2018008579.tif 000002
【特許請求の範囲】
【請求項１】
車両の状態を表示するものであって、背面側から入射する光を視認側へ透過可能に形成され、表示面（１０ａ）にて画像を表示する液晶パネル（１０）を備えた車両用表示装置であって、
前記液晶パネルよりも背面側に配置され、視認側へ向けて光を発する発光素子（５２，２５２）と、
前記発光素子と前記液晶パネルとの間の光路上に配置され、前記発光素子からの光を前記液晶パネル側に屈折させて透過させる光透過部（６０）と、を備える車両用表示装置。
【請求項２】
前記光透過部は、所定方向に沿って延伸する複数の屈折素子（６３）を配列していることで、前記所定方向と交差する方向に沿って凹凸を形成している凹凸部（６２）を有し、前記発光素子からの光を前記凹凸部の各前記屈折素子により屈折する請求項１に記載の車両用表示装置。
【請求項３】
前記発光素子と前記液晶パネルの前記画像が表示される側の背面との間に配置され、前記発光素子からの光が前記光透過部を透過するように、その光を前記光透過部に偏向させる偏向部（４０）をさらに備える請求項２に記載の車両用表示装置。
【請求項４】
前記偏向部は、前記発光素子からの光を前記光透過部以外の箇所を経て視認されることを遮光により規制している請求項３に記載の車両用表示装置。
【請求項５】
前記偏向部は、筒状に形成され、
前記発光素子とは別の発光素子であって、前記偏向部の筒内に配置された発光素子（３２）を有する筒内照明部（３０）さらに備える請求項４に記載の車両用表示装置。
【請求項６】
前記画像は、前記車両の状態を表すものであって間隔を隔てて配置された複数の主指標画像（１４ａ）を含み、
前記画像として、又は、実体物として、各前記主指標画像を指示する指針（１２）をさらに備え、
各前記発光素子は、各前記主指標画像に対応して、複数設けられている請求項１から５のいずれか１項に記載の車両用表示装置。
【請求項７】
前記主指標画像は、延伸目盛画像を含む請求項６に記載の車両用表示装置。
【請求項８】
各前記発光素子は、前記指針の指示位置に応じて、個別に点消灯する請求項６又は７に記載の車両用表示装置。
【請求項９】
前記発光素子とは別の発光素子であって、各前記主指標画像を照明するための発光素子（７２）を有する画像用照明部（７０）をさらに備える請求項６から８のいずれか１項に記載の車両用表示装置。
【請求項１０】
前記発光素子と前記光透過部との間の光路上に配置され、前記発光素子からの光を前記光透過部へと導光する多面導光体（２５４）をさらに備え、
前記多面導光体は、前記発光素子からの光を屈折する表面として、前記所定方向に分割され、互いに異なる方向を向いて配列された複数の分割面（２５５）を有する請求項２から４のいずれか１項に記載の車両用表示装置。
【発明の詳細な説明】
【技術分野】
【０００１】
本発明は、車両の状態を表示する車両用表示装置に関する。
【背景技術】
【０００２】
従来、車両の状態を表示する車両用表示装置が知られている。例えば、特許文献１に開示の車両用表示装置は、表示面にて画像を表示する液晶パネルを備えている。
【０００３】
このような液晶パネルの表示では、当該表示を立体的に見せることは難しく、平面的になりがちである。これに対し、特許文献１に開示の装置は、液晶パネルよりも視認側にリングを備えている。当該リングは、目盛として役立っている。
【先行技術文献】
【特許文献】
【０００４】
【特許文献１】特許第４７８７１０２号公報
【発明の概要】
【発明が解決しようとする課題】
【０００５】
特許文献１の開示の装置では、実体物を積極的に視認させることで、立体感を高めている。しかしながら、実体物それ自体を積極的に見せ過ぎると、当該実体物に視認者の注目が行き過ぎ、例えば視認させたい他の表示物（例としては液晶パネルの表示画像）への注目が疎かになるということが懸念されている。
【０００６】
本発明は、以上説明した問題に鑑みてなされたものであって、その目的は、視認性を良好に保ちつつ、立体感がある車両用表示装置を提供することにある。
【課題を解決するための手段】
【０００７】
本発明は、車両の状態を表示するものであって、背面側から入射する光を視認側へ透過可能に形成され、表示面（１０ａ）にて画像を表示する液晶パネル（１０）を備えた車両用表示装置であって、
液晶パネルよりも背面側に配置され、視認側へ向けて光を発する発光素子（５２，２５２）と、
発光素子と液晶パネルとの間の光路上に配置され、発光素子からの光を液晶パネル側に屈折させて透過させる光透過部（６０）と、を備える。
【０００８】
このような発明によると、発光素子と液晶パネルとの間の光路上に配置された光透過部が、発光素子からの光を液晶パネル側に屈折させて透過させる。発光素子からの光がこの光透過部により屈折にされた後、液晶パネルを視認側へ透過すると、視認者からは、照明パターンが液晶パネルよりも背面側に存在するように、視認され得る。こうした照明パターンによりさりげなく奥行きが表現される結果、視認者の注目が当該照明パターンに行き過ぎることなく視認性を良好に保ちつつ、立体感を演出することが可能となるのである。
【０００９】
なお、括弧内の符号は、記載内容の理解を容易にすべく、後述する実施形態において対応する構成を例示するものに留まり、発明の内容を限定することを意図したものではない。
【図面の簡単な説明】
【００１０】
【図１】第１実施形態における車両用表示装置の平面図である。
【図２】図１のII−II線断面図であって、仮想の平面ＰＬに沿った断面を示している。
【図３】第１実施形態における光透過部、リフレクタ、パターン用照明部、画像用照明部、及び基板を示す斜視図である。
【図４】第１実施形態における光透過部、リフレクタ、パターン用照明部、画像用照明部、及び基板を示す平面図である。
【図５】第１実施形態における光透過部、パターン用照明部、画像用照明部、及び基板を示す斜視図である。
【図６】第１実施形態における光透過部、パターン用照明部、画像用照明部、及び基板を示す平面透視図である。
【図７】第１実施形態における各発光素子の個別の点消灯を説明するための平面図である。
【図８】第２実施形態における図２に対応する図である。
【図９】第２実施形態における多面導光体を示す平面図である。
【図１０】変形例１における車両用表示装置の平面図である。
【図１１】変形例２，３における車両用表示装置の平面図である。
【発明を実施するための形態】
【００１１】
以下、本発明の複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１２】
（第１実施形態）
本発明の第１実施形態による車両用表示装置１００は、車両に搭載され、視認者が着座する座席と対向するインストルメントパネルに設置されている。図１に示すように、車両用表示装置１００は、液晶パネル１０に表示される画像により、具体的には、指標画像１４を指針画像１２が指示することにより、車両の状態を表示する。これにより、車両用表示装置１００に対して視認側に位置する視認者は、表示される車両の状態を知覚することができる。表示される車両の状態としては、車両の速度、エンジン回転数、燃料残量、バッテリ残量、エンジン冷却水の水温、電動モータの電流値等が挙げられる。
【００１３】
このような車両用表示装置１００は、図１〜７に示すように、主として、液晶パネル１０、基板２０、リフレクタ４０、筒内照明部３０、パターン用照明部５０、光透過部６０、及び画像用照明部７０を備えている。
【００１４】
液晶パネル１０は、表示面１０ａにて画像を表示する平面パネル状の表示素子である。本実施形態では、液晶パネル１０として、薄膜トランジスタ（Thin Film Transistor、ＴＦＴ）を用いた透過型の液晶パネルであって、表示面１０ａにおいて２次元方向に配列された複数の画素を有するアクティブマトリクス型の液晶パネルが採用されている。
【００１５】
具体的に、液晶パネル１０では、一対の偏光板及び一対の偏光板に挟まれた液晶層等が積層されている。偏光板は、電場ベクトルが所定方向の光を透過させ、電場ベクトルが所定方向と実質垂直な方向の光を吸収する性質を有し、一対の偏光板は、当該所定方向を実質直交して配置されている。液晶層は、画素毎の電圧印加により、印加電圧に応じて液晶層に入射する光の偏光方向を回転させることが可能となっている。
【００１６】
したがって、液晶パネル１０は、背面側への光の入射により、画素毎の当該光の透過率を制御して、当該光を視認側へ透過することで、画像を表示することが可能となっているのである。隣り合う画素には、互いに異なる色（例えば、赤、緑、及び青）のカラーフィルタが設けられており、これらの組み合わせにより、カラー表示が実現されるようになっている。
【００１７】
基板２０は、図２に示すように、液晶パネル１０よりも背面側において液晶パネル１０と実質平行に配置され、例えばガラスエポキシ樹脂等の合成樹脂により平板状に形成されている。基板２０は、筒内照明部３０の発光素子３２及びパターン用照明部５０の発光素子５２を視認側表面に実装すると共に、リフレクタ４０を保持している。
【００１８】
リフレクタ４０は、基板２０と液晶パネル１０との間に配置され、例えば合成樹脂により、遮光性を有し、視認側及び背面側の両側に開口する略円筒状に形成されている。特に本実施形態では、リフレクタ４０は、内周壁４２及び外周壁４４を、反射率が高い白色に形成している。リフレクタ４０は、筒の中心線が後述する指針画像１２の仮想の回転中心線ＲＡに沿うように配置されている。リフレクタ４０は、その背面側端部において、基板２０と隙間なく当接されていることで、背面側端部の開口全体が基板２０により塞がれている。また、リフレクタ４０は、その視認側端部において、光透過部６０の光源側表面６５と隙間なく当接されている。より厳密に、リフレクタ４０は、背面側端部から視認側端部へ向かう程、内径及び外径が漸次増大するように、その内周壁４２及び外周壁４４を部分円錐面状に形成している。
【００１９】
筒内照明部３０は、例えば図３，４に示すように、液晶パネル１０より背面側かつリフレクタ４０よりも内周側において、リフレクタ４０の筒内に配置されている複数の発光素子３２を有している。各発光素子３２は、例えば発光ダイオード素子であり、基板２０上の配線パターンを通じて、電源と電気的に接続されている。各発光素子３２は、通電により電流量に応じた発光量にて、視認側へ向けて光を発するようになっている。特に本実施形態では、各発光素子３２は、白色光を発するようになっているが、赤色光、緑色光、青色光等を発するようにしてもよい。
【００２０】
パターン用照明部５０は、図２，３に示すように、液晶パネル１０より背面側かつリフレクタ４０よりも外周側において、複数の発光素子５２を有している。各発光素子５２は、例えば発光ダイオード素子であり、基板２０上の配線パターンを通じて、電源と電気的に接続されている。各発光素子５２は、通電により電流量に応じた発光量にて、視認側へ向けて光を発するようになっている。特に本実施形態では、各発光素子５２は、白色光を発するようになっているが、赤色光、緑色光、青色光等を発するようにしてもよい。
【００２１】
光透過部６０は、発光素子３２，５２及びリフレクタ４０と液晶パネル１０との間に配置され、例えば合成樹脂により、透光性を有する円錐台状に形成されている。光透過部６０は、その円錐台の中心線が後述する指針画像１２の回転中心線ＲＡに沿うことで、リフレクタ４０と実質同軸上に配置されている。
【００２２】
特に本実施形態における光透過部６０は、背面側を向く表面として、当該光透過部６０の中心線と実質直交する光源側表面６５を平面状に形成している。上述のように、光源側表面６５は、リフレクタ４０の視認側端部と当接していることで、視認側端部の開口全体を塞いでいる。また光透過部６０は、視認側を向く表面として、中心線と実質直交するパネル側内周表面６７を平面状に形成している。パネル側内周表面６７は、全面に亘って液晶パネル１０と当接している。
【００２３】
光透過部６０の径は、光源側表面６５からパネル側内周表面６７へ向かう程、漸次減少している。この結果、パネル側内周表面６７の径は、光源側表面６５の径よりも小さくなっているが、リフレクタ４０の視認側端部における内径及び外径よりは大きくなっている。
【００２４】
パネル側内周表面６７よりも外周側において光透過部６０は、外周側に向かう程表示面１０ａとの間隔が漸次増大するように、表示面１０ａに対して傾斜して配置された円環状の凹凸部６２を有している。凹凸部６２は、複数の屈折素子６３により構成されている。
【００２５】
各屈折素子６３は、図３，５にも示すように、円周方向に沿って延伸する円環状に形成されている。各屈折素子６３は、隣接する屈折素子６３と僅かに径を変えていることで、後述する指標画像１４と同心円状に配列されている。本実施形態において、各屈折素子６３は、その径方向断面を三角プリズム状に形成している。したがって、凹凸部６２は、円周方向と交差する方向に沿って凹凸を形成している。
【００２６】
画像用照明部７０は、図２に示すように、発光素子７２、導光板７４及び拡散板７６を有している。発光素子７２は、例えば発光ダイオード素子であり、通電により電流量に応じた発光量にて、導光板７４へ向けて光を発するようになっている。特に本実施形態では、発光素子７２は、白色光を発するようになっている。
【００２７】
導光板７４及び拡散板７６は、リフレクタ４０を外周側から囲むように、パターン用照明部５０の発光素子５２よりも視認側かつ光透過部６０よりも背面側に配置され、互いに積層されている。導光板７４は、拡散板７６よりも背面側に配置され、例えば合成樹脂により、透光性を有する板状に形成されている。発光素子７２から導光板に入射した光は、導光板７４の背面側表面により視認側に反射されて、拡散板７６へと入射する。ここで導光板７４の背面側表面には、反射率を高めるための反射フィルム等が設けられていてもよい。
【００２８】
拡散板７６は、導光板７４よりも視認側に配置されている。拡散板７６は、導光板７４からの光を拡散しつつ、視認側へと透過させる。こうした拡散により、拡散板７６自体が面光源の如く機能する。
【００２９】
導光板７４及び拡散板７６には、リフレクタ４０を外周側から囲むための内周穴７７が円筒穴状に設けられている。内周穴７７とリフレクタ４０の外周壁４４との間には、全周に亘って隙間が設けられている。ここで、内周穴７７は、凹凸部６２の外周部６２ｂ及び内周部６２ａよりも内周側に設けられている。これにより、平面視において拡散板７６のうち内周側は、凹凸部６２と互いに空間を隔てて重なっている。
【００３０】
ここで、画像用照明部７０による照明の結果、液晶パネル１０の表示面１０ａに表示される画像について説明する。画像用照明部７０は、拡散板７６により拡散された光を液晶パネル１０に背面側から入射させる。図１に示すように、画像用照明部７０により、表示面１０ａのうち、リフレクタ４０の視認側端部を回転中心線ＲＡに沿って当該表示面１０ａに仮想的に投影した領域よりも外周側の領域に、液晶パネル１０は、画像を表示可能となる。
【００３１】
各画素の透過率制御により、画像として指標画像１４が表示される。指標画像１４は、複数の主指標画像１４ａ及び複数の副指標画像１４ｂを含んでいる。各主指標画像１４ａは、回転中心線ＲＡを中心とした円周方向に沿って、所定の角度ピッチで配列され、車両の状態を所定値間隔で表すようになっている。具体的に本実施形態の各主指標画像１４ａは、互いに間隔を隔てて、角度ピッチ３０°で円周方向のうち２４０°に亘って配列され、合計９箇所に配置されている。主指標画像１４ａは、車両の状態としてのエンジン回転数を、１０００ｒ／ｍｉｎ間隔で表している。各主指標画像１４ａは、円周方向と交差する径方向に、延伸している延伸目盛画像を含んでいる。また各主指標画像１４ａは、延伸目盛画像よりも内周側に配置され、数字で車両の状態を表す文字指標画像を含んでいる。
【００３２】
副指標画像１４ｂは、主指標画像１４ａを補間する指標であり、回転中心線ＲＡを中心とした円周方向に沿って配列されている。具体的に、各副指標画像１４ｂは、主指標画像１４ａとその隣の主指標画像１４ａとの間に、延伸目盛画像よりもサイズの小さい目盛画像を各４つ配置している。
【００３３】
さらに、各画素の透過率制御により、画像として指針画像１２が表示される。指針画像１２は、指標画像１４よりも内周側に配置され、円周方向と交差する径方向に、回転中心線ＲＡ側から指標画像１４に向かって延伸する針状を呈している。指針画像１２は、画像処理によって仮想の回転中心線ＲＡまわりに回転するようになっており、指標画像１４を指示することにより、車両の状態としてのエンジン回転数を、随時、表示可能となっている。
【００３４】
次に、筒内照明部３０による照明の結果、液晶パネル１０の表示面１０ａに表示される画像について説明する。図２に示すように、筒内照明部３０の発光素子３２からの光は、直接、又は、リフレクタ４０の内周壁４２に反射されつつ、光透過部６０の光源側表面６５に入射される。光源側表面６５に入射した光は、さらにパネル側内周表面６７から射出されることで光透過部６０を透過する。こうして筒内照明部３０は、発光素子３２からの光を、液晶パネル１０に背面側から入射させる。図１に示すように、筒内照明部３０により、表示面１０ａのうち、リフレクタ４０の視認側端部を回転中心線に沿って当該表示面１０ａに仮想的に投影した領域よりも内周側の領域に、液晶パネル１０は、画像を表示可能となる。具体的に、各画素の透過率制御により、画像として内周表示画像１６が表示される。具体的に本実施形態の内周表示画像１６は、車両の状態として、シフトチェンジの状態を表示している。
【００３５】
ここで、リフレクタ４０を回転中心線ＲＡに沿って当該表示面１０ａに仮想的に投影した領域では、各画素の透過率が指標画像１４、指針画像１２、及び内周表示画像１６における各画素の透過率よりも小さく設定されることで、暗色の表示を行なうことが好ましい。こうすると、リフレクタ４０の存在が視認者に気付かれ難くなる。
【００３６】
次に、パターン用照明部５０の各発光素子５２の配置を詳細説明する。図２，３，５，６に示すように、本実施形態において発光素子５２は、主指標画像１４ａに個別に対応して、複数設けられている。具体的に、発光素子５２は、主指標画像１４ａの配置総数と同数（すなわち９つ）設けられ、それぞれ主指標画像１４ａに対応している。発光素子５２と主指標画像１４ａとが対を成しているのである。
【００３７】
各発光素子５２は、個別に対応する主指標画像１４ａ及び回転中心線ＲＡを通る仮想の平面ＰＬ上に配置されている。したがって、平面視においては、各発光素子５２は、主指標画像１４ａと回転中心線ＲＡとの間に、３０°の角度ピッチで配置されている。円周方向のうち１２０°の範囲には、指標画像１４は配置されていないため、これに対応する範囲には、発光素子５２は配置されていない。
【００３８】
また、特に図６に示すように、各発光素子５２は、視認側から回転中心線ＲＡに沿った平面視において、リフレクタ４０と重なる箇所に配置されている。換言すると、各発光素子５２は基板２０とリフレクタ４０の外周壁４４との間に配置されている。
【００３９】
こうした各発光素子５２の配置により、図２に示すように、各発光素子５２からの光は、主にリフレクタ４０の外周壁４４と導光板７４及び拡散板７６との間に、内周穴７７により空けられることで生じた隙間を通じて、光路上の光透過部６０の光源側表面６５に入射すると共に、凹凸部６２の各屈折素子６３により屈折されるようになっている。より詳細には、各発光素子５２からの光として、外周壁４４と導光板７４及び拡散板７６との間の隙間を通って直接的に凹凸部６２に到達する光もあれば、外周壁４４に反射されつつ凹凸部６２に到達する光もある。すなわち、リフレクタ４０は、各発光素子５２からの光が光透過部６０の凹凸部６２以外の箇所を経て視認されることを遮光により規制する遮光部としての機能を持っている。同時に、リフレクタ４０は、各発光素子５２からの光が光透過部６０の凹凸部６２を透過するように、その光を当該凹凸部６２へ向けて偏向させる偏向部としての機能も持っている。
【００４０】
こうして光透過部６０を透過すると共に、当該光透過部６０における凹凸部６２の各発光素子５２により屈折された光は、液晶パネル１０に背面側から入射し、当該液晶パネル１０を透過する。これにより、図１に示すように、視認者は、内周表示画像１６と指標画像１４との間において、凹凸が形成された方向に沿って光が帯状に延伸する照明パターンＩＰを視認することとなる。この照明パターンＩＰは、凹凸部６２の配置に合わせた位置にて結像され得るので、例えば、凹凸部６２の傾斜に応じて、凹凸部６２の内周部６２ａ側から外周部６２ｂ側に向かう程、より背面側に当該パターンＩＰが存在するかの如く、奥行きを感じさせるものとなっている。
【００４１】
照明パターンＩＰは、発光素子５２及び主指標画像１４ａの配置箇所の数だけ視認され得る。ここで、各発光素子５２は、上述の仮想の平面ＰＬ上に配置されているので、各照明パターンＩＰは、平面視において回転中心線ＲＡ側から主指標画像１４ａに向かうように放射状に延伸している。これにより、各照明パターンＩＰが表示面１０ａを主指標画像１４ａ毎に区切るような照明効果を与えている。ここで、延伸目盛画像の延伸方向も上述の仮想の平面ＰＬに沿った方向となっているので、平面視において、各照明パターンＩＰが対応する延伸目盛画像に連続するような照明効果を与えている。
【００４２】
なお、図１において仮想の平面ＰＬのうち一部のみが示されており、図２は、図１に示された仮想の平面ＰＬに沿った断面となっている。
【００４３】
また、車両用表示装置１００は、各発光素子５２を、指針画像１２の指示位置に応じて、個別に点消灯する制御を行なうことが可能となっている。例えば、図７に示すように、指針画像１２が指示する指標画像１４が示す車両の状態の値よりも、小さな値を表す指標画像１４に個別に対応する発光素子５２を点灯させる。これと共に、指針画像１２が指示する指標画像１４が示す車両の状態の値よりも、大きな値を表す指標画像１４に個別に対応する発光素子５２を消灯させる。このようにすると、視認者は、指針画像１２の指示に加えて、主指標画像１４ａに対応する照明パターンＩＰの有無により、車両の状態を大まかに認識できる。
【００４４】
（作用効果）
以上説明した第１実施形態の作用効果を以下に説明する。
【００４５】
第１実施形態によると、発光素子５２と液晶パネル１０との間の光路上に配置された光透過部６０が、発光素子５２からの光を液晶パネル１０側に屈折させて透過させる。発光素子５２からの光がこの光透過部６０により屈折にされた後、液晶パネル１０を視認側へ透過すると、視認者からは、照明パターンＩＰが液晶パネル１０よりも背面側に存在するように、視認され得る。こうした照明パターンＩＰによりさりげなく奥行きが表現される結果、視認者の注目が当該照明パターンＩＰに行き過ぎることなく視認性を良好に保ちつつ、立体感を演出することが可能となるのである。
【００４６】
また、第１実施形態によると、凹凸を形成している凹凸部６２において、光透過部６０の各屈折素子６３は、所定方向として円周方向に沿って延伸して配列されている。発光素子５２から視認側へ発せられた光は、各屈折素子６３により屈折された後、液晶パネル１０を視認側へ透過すると、視認者からは、凹凸が形成された方向に沿って光が帯状に延伸する照明パターンＩＰとして視認され得る。より詳細に、当該凹凸部６２を有する光透過部６０は、発光素子５２と液晶パネル１０との間の光路上に配置されているので、当該照明パターンＩＰは、液晶パネル１０よりも背面側に存在するように、当該液晶パネル１０を通して視認される。
【００４７】
こうした照明パターンＩＰによりさりげなく奥行きが表現される結果、視認者の注目が当該照明パターンＩＰに行き過ぎることなく視認性を良好に保ちつつ、立体感を演出することが可能となるのである。
【００４８】
また、第１実施形態によると、発光素子５２と液晶パネル１０の画像が表示される側の背面との間に配置された偏向部としてのリフレクタ４０は、発光素子５２からの光を光透過部６０に向けて偏向させる。こうした偏向により、発光素子５２からの光を光透過部６０に効率的に入射させることができるので、確実に照明パターンＩＰを視認させることができる。
【００４９】
また、第１実施形態によると、リフレクタ４０は、発光素子５２からの光が光透過部６０の凹凸部６２以外の箇所を経て視認されることを遮光により規制する。したがって、発光素子５２が直接視認されることが抑制されるので、確実に照明パターンＩＰで奥行きを表現可能となる。
【００５０】
また、第１実施形態によると、筒内照明部３０がリフレクタ４０の筒内に設けられているので、リフレクタ４０を配置した箇所に対応する表示面１０ａ上の領域にも、画像を表示可能となる。したがって、視認性を高めることができる。
【００５１】
また、第１実施形態によると、各発光素子５２は、各主指標画像１４ａに対応して、複数設けられている。このように複数の発光素子５２を配置すると、発光素子５２と同数の照明パターンＩＰを、各主指標画像１４ａと照明パターンＩＰとを調和させて視認させることができる。したがって、違和感少なく立体感を演出できるのである。
【００５２】
また、第１実施形態によると、各主指標画像１４ａは、延伸目盛画像を含む。対となる延伸目盛画像と照明パターンＩＰとの延伸方向が一致して表示可能となるので、主指標画像１４ａが指示される表示において、視認性がより高まる。
【００５３】
また、第１実施形態によると、各発光素子５２は、指針画像１２の回転に応じて、個別に点消灯する。こうした点消灯により、指針画像１２の回転動作の認識が容易となるため、視認性が高まる。
【００５４】
また、第１実施形態によると、画像用照明部７０が各主指標画像１４ａを照明する。したがって、主指標画像１４ａの輝度を高めることでき、視認性が高まる。
【００５５】
（第２実施形態）
図８，９に示すように、本発明の第２実施形態は第１実施形態の変形例である。第２実施形態について、第１実施形態とは異なる点を中心に説明する。
【００５６】
第２実施形態におけるパターン用照明部２５０は、１つの発光素子２５２、及び多面導光体２５４を有している。発光素子２５２は、液晶パネル１０、光透過部６０、及び筒内照明部３０の発光素子３２を実装する基板２２０ａよりも背面側に配置され、基板２２０ａとは別の基板２２０ｂの視認側表面に実装されている。ここで発光素子２５２は、回転中心線ＲＡ上に配置されている。
【００５７】
多面導光体２５４は、発光素子２５２よりも視認側かつリフレクタ４０及び発光素子２５２を実装する基板２２０ａよりも背面側に配置され、例えば合成樹脂により、透光性を有する導光体として形成されている。発光素子２５２と光透過部６０との間の光路上に配置された多面導光体２５４は、背面側を向く表面として、回転中心線ＲＡと実質直交する光源側表面を平面状に形成している。
【００５８】
また多面導光体２５４は、視認側を向く表面として、内周当接面２５７及び複数の分割面２５５を有している。内周当接面２５７は、回転中心線ＲＡと実質直交する平面状に形成されており、その外周輪郭は、図９に示すように、分割面２５５の総数に応じた正多角形状を呈している。図８に示すように内周当接面２５７は、基板２２０ａと隙間なく当接している。
【００５９】
複数の分割面２５５は、内周当接面２５７と接続され、円周方向に分割された平面状の面であって、その外周輪郭は、台形状を呈している。複数の分割面２５５は、互いに配列されている。各分割面２５５は、主指標画像１４ａに個別に対応して、複数設けられている。具体的に各分割面２５５は、平面視において主指標画像１４ａと同じ３０°ピッチで分割されており、主指標画像１４ａが配置されていない１２０°の範囲を含めて、全部で主指標画像１４ａの配置総数（具体的に９つ）よりも多い数（具体的に１２つ）配置されている。このうち９つの分割面２５５が主指標画像１４ａに個別に対応していることで、当該主指標画像１４ａと対を成している。
【００６０】
複数の分割面２５５は、互いに異なる方向を向いている。より詳細に、主指標画像１４ａと対を成す各分割面２５５は、対応する主指標画像１４ａ及び回転中心線ＲＡを通る仮想の平面ＰＬ（図１も参照）に、その法線方向を沿わせて配置されている。
【００６１】
第２実施形態のパターン用照明部２５０の構成により、発光素子２５２からの光は、光源側表面２５６を経て、各分割面２５５に入射する。各分割面２５５は、互いに異なる方向を向いているので、発光素子２５２からの光をそれぞれ異なる方向に屈折する。この光は、屈折と共に各分割面２５５から射出されることで、多面導光体２５４を透過する。こうして多面導光体２５４により、発光素子２５２からの光は、第１実施形態と同様の光透過部６０へ導光される。
【００６２】
ここで、第２実施形態では、画像用照明部７０の導光板７４及び拡散板７６は、多面導光体２５４とリフレクタ４０との間に配置された基板２２０ａの延長面上に配置されている。したがって、各分割面２５５からの光は、主に基板２２０ａと導光板７４及び拡散板７６との間に、内周穴７７により空けられることで生じた隙間を通じて、光透過部６０の光源側表面６５に入射すると共に、凹凸部６２の各屈折素子６３により屈折されるようになっている。より詳細には、各発光素子２５２からの光として、基板２２０ａと導光板７４及び拡散板７６との間の隙間を通って直接的に凹凸部６２に到達する光もあれば、外周壁４４に反射されつつ凹凸部６２に到達する光もある。すなわち、リフレクタ４０は、第１実施形態と同様に、遮光部及び偏向部としての機能を持っている。
【００６３】
こうして凹凸部６２の各屈折素子６３により屈折された光は、液晶パネル１０に背面側から入射し、当該液晶パネル１０を透過する。これにより、視認者は、内周表示画像１６と指標画像１４との間において、第１実施形態と同様の照明パターンＩＰを視認することとなる。なお、第２実施形態では、指標画像１４が配置されていない範囲を含め、３０°ピッチで分割面２５５の数に応じた１２方向に照明パターンＩＰが視認され得る。
【００６４】
以上説明した第２実施形態によると、発光素子２５２からの光を光透過部６０と導光する多面導光体２５４において、複数の分割面２５５が、発光素子２５２からの光を屈折する表面として、所定方向としての円周方向に分割され、互いに異なる方向を向いて配列されている。こうした複数の分割面２５５により、発光素子２５２からの光を分割して、光透過部６０の各箇所に入射させることができる。こうして光透過部６０の各箇所に入射した光がそれぞれ照明パターンＩＰを構成するので、発光素子２５２の数よりも多い数の照明パターンＩＰを視認させることが可能となる。したがって、視認性を良好に保ちつつ、立体感を演出することを、発光素子２５２の配置数を抑制して実現可能となる。
【００６５】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００６６】
具体的に変形例１としては、図１０に示すように、指針画像１２は、レーダー風の画像であってもよい。
【００６７】
変形例２としては、図１１に示すように、指針１２は、画像としての指針画像に限らず、実体物であってもよい。
【００６８】
変形例３としては、図１１に示すように、照明パターンＩＰは、主指標画像１４ａと円周方向にずれた位置に視認されるようにしてもよい。
【００６９】
変形例４としては、凹凸部６２は、外周側に向かう程表示面１０ａとの間隔が漸次減少するように、表示面１０ａに対して傾斜して配置されてもよい。
【００７０】
変形例５としては、凹凸部６２は、表示面１０ａに対して実質平行に配置されていてもよい。
【００７１】
変形例６としては、屈折素子６３は、所定方向を円周方向以外の例えば直線方向に延伸するものであってもよい。
【００７２】
変形例７としては、液晶パネル１０が表示する画像に、指標画像１４が含まれていなくてもよい。
【符号の説明】
【００７３】
１００  車両用表示装置、１０  液晶パネル、１０ａ  表示面、１２  指針画像（指針）、１４ａ  主指標画像、３０  筒内照明部、３２  発光素子、４０  リフレクタ、５０，２５０  パターン用照明部、５２，２５２  発光素子、６０  光透過部、６２  凹凸部、６３  屈折素子、７０  画像用照明部、７２  発光素子、２５４  多面導光体、２５５  分割面
【図１】
2018008579.tif 000003
【図２】
2018008579.tif 000004
【図３】
2018008579.tif 000005
【図４】
2018008579.tif 000006
【図５】
2018008579.tif 000007
【図６】
2018008579.tif 000008
【図７】
2018008579.tif 000009
【図８】
2018008579.tif 000010
【図９】
2018008579.tif 000011
【図１０】
2018008579.tif 000012
【図１１】
2018008579.tif 000013